【手続補正書】
【提出日】平成19年8月27日(2007.8.27)
【手続補正１】
【補正対象書類名】明細書
【補正対象項目名】特許請求の範囲
【補正方法】変更
【補正の内容】
【特許請求の範囲】
【請求項１】 複数のセンサ（１１６）の各々が対応する制御スイッチ（７１、７２、８１、８２）によって対応するデータ線（１１８）に接続され、前記データ線（１１８）は順次に配置され、前記制御スイッチ（７１、７２、８１、８２）の各々がその接続されたスキャン線（１１７）から作動可能に制御されて対応するセンサ（１１６）からの信号を前記対応するデータ線（１１８）に選択的に通過させ、かつ前記データ線（１１８）の各々が複数の増幅器（１４５）のうちのそれぞれの１つに接続されるように構成されているマトリックス・アドレス式Ｘ線撮像パネル（１１５）において、前記複数のセンサ（１１６）により供給される撮像アレイ信号内の増幅器オフセットを補償する方法であって、前記撮像パネル（１１５）のスキャン線（１１７）をオフにするステップと、スキャン線（１１７）がオフの間に、前記増幅器の各々から出力信号を読み取って格納するステップと、前記出力信号から増幅器（１４５）のオフセットを算出するステップと、前記スキャン線（１１７）を通電状態にするステップと、スキャン線（１１７）がオンの間に、前記増幅器の各々から出力信号を読み取るステップと、前記出力信号からの前記増幅器オフセットを適用して補償済み撮像アレイ信号を作成するステップと、を含む方法。
【請求項２】 非通電状態にする前記ステップが、すべてのスキャン線（１１７）をオフにすることを含み、かつ通電状態にする前記ステップが、すべてのスキャン線（１１７）をオンにすることを含む請求項１に記載の方法。
【請求項３】 増幅器オフセットを算出する前記ステップが、前記各増幅器チップ上に配置されたすべての増幅器（１４５）に対する平均増幅器オフセットを求めるために、各増幅器チップからの前記出力信号の平均を取ることを含む請求項１に記載の方法。
【請求項４】 複数のセンサ（１１６）の各々が対応する制御スイッチ（７１、７２、８１、８２）によって対応するデータ線（１１８）に接続され、前記データ線（１１８）は順次に配置され、前記制御スイッチ（７１、７２、８１、８２）の各々がその接続されたスキャン線（１１７）から作動可能に制御されて対応するセンサ（１１６）からの信号を前記対応するデータ線（１１８）に選択的に通過させ、前記スキャン線（１１７）はすべてその電圧が指定された方向であらかじめ決定した値に設定されており、前記データ線（１１８）の各々が複数の増幅器（１４５）のうちのそれぞれの１つに取り付けられ、かつオフセット調整済み基本ゲイン較正画像が取得されて格納されているようなマトリックス・アドレス式Ｘ線撮像パネル（１１５）において、前記複数のセンサ（１１６）により供給される撮像アレイ信号内の増幅器ゲインを補償する方法であって、各増幅器により増幅器読み出し値信号が供給されるように、前記スキャン線（１１７）電圧を予め定めた値だけシフトさせるステップと、各増幅器により供給される増幅器読み出し値信号を読み取るステップと、前記増幅器読み出し値信号の加算値を算出するステップと、前記加算値からリアルタイム相対ゲインを算出するステップと、前記オフセット調整済み基本ゲイン較正画像を、前記リアルタイム相対ゲインによってピクセル単位で割り算して、リアルタイム調整済みゲイン較正画像を生成するステップと、前記スキャン線（１１７）電圧を通常動作値までシフトさせるステップと、それぞれの増幅器により提供される撮像アレイ信号を読み取るステップと、前記撮像アレイ信号を、前記リアルタイム調整済みゲイン較正画像によってピクセル単位で割り算して、増幅器ゲインを補償した撮像アレイ信号を生成するステップと、を含む方法。
【請求項５】 加算値を算出する前記ステップが、前記増幅器読み出し値信号のすべてを加算することを含む請求項４に記載の方法。
【請求項６】 増幅器ゲインを個々に算出する前記ステップが、前記読み取った増幅器読み出し値信号の各々を前記加算値で割り算することを含む請求項４又は５に記載の方法。
【請求項７】 複数のセンサ（１１６）の各々が対応する制御スイッチ（７１、７２、８１、８２）によって対応するデータ線（１１８）に接続され、前記データ線（１１８）は順次に配置され、前記制御スイッチ（７１、７２、８１、８２）の各々がその接続されたスキャン線（１１７）から作動可能に制御されて対応するセンサ（１１６）からの信号を前記対応するデータ線（１１８）に選択的に通過させ、前記スキャン線（１１７）はすべてその電圧が指定された方向であらかじめ決定した値に設定されており、前記データ線（１１８）の各々が複数の増幅器（１４５）のうちのそれぞれの１つに取り付けられ、かつオフセット調整済み基本ゲイン較正画像が取得されて格納されているようなマトリックス・アドレス式Ｘ線撮像パネル（１１５）において、前記複数のセンサ（１１６）により供給される撮像アレイ信号内の増幅器ゲインを補償する方法であって、撮像エネルギ源からの撮像エネルギを前記撮像パネル（１１５）に印加するステップと、撮像パネル（１１５）のすべてのスキャン線（１１７）をオフにするステップと、スキャン線（１１７）がオフの間に、前記増幅器（１４５）の各々から増幅器オフセット信号を読み取るステップと、平均増幅器オフセットを作成するために、前記増幅器の各々からの前記増幅器オフセット信号の平均を算出するステップと、前記スキャン線（１１７）をオンにするステップと、各増幅器により増幅器読み出し値信号が提供されるように、前記スキャン線（１１７）電圧を予め定めた値だけシフトさせるステップと、各増幅器により提供される増幅器読み出し値信号を読み取るステップと、増幅器読み出し値信号の加算値を算出するステップと、前記加算値からリアルタイム相対ゲインを算出するステップと、前記オフセット調整済み基本ゲイン較正画像を、前記リアルタイム相対ゲインによってピクセル単位で割り算して、リアルタイム調整済みゲイン較正画像を生成するステップと、前記スキャン線（１１７）電圧を通常動作値までシフトさせるステップと、それぞれの増幅器により供給される撮像アレイ信号を読み取るステップと、前記撮像アレイ信号からの前記平均増幅器オフセットを適用して、オフセット調整済み画像信号を生成するステップと、前記オフセット調整済み画像信号を、前記リアルタイム調整済みゲイン較正画像によってピクセル単位で割り算して、増幅器オフセット及びゲインを補償した画像信号を生成するステップと、を含む方法。
【請求項８】 行と列の形に配置された複数のセンサ（１１６）を含むマトリックス・アドレス式センサ・パネル（１１５）によって発生される撮像アレイ信号を補正するためのシステムであって、前記センサ（１１６）の各々がそれぞれの撮像アレイ信号、増幅器オフセット信号及び増幅器読み出し値信号を作成するためにスキャン線（１１７）の制御装置（１５５）により制御を受け、前記センサ（１１６）が増幅器オフセット及び増幅器ゲインを有しかつそれぞれの増幅器（１４５）への伝送のためにそれぞれのデータ線（１１８）に接続されている場合に、当該システムは、前記増幅器（１４５）に接続されていて、前記撮像アレイ信号、前記増幅器オフセット信号及び前記増幅器読み出し値信号を処理する増幅器信号プロセッサ（１２０）と、前記増幅器信号プロセッサ（１２０）に接続されていて、前記増幅器オフセット信号の値の平均を取って平均増幅器オフセット信号を生成する増幅器オフセット計算器（１２９）と、前記増幅器信号プロセッサ（１２０）に接続されていて、リアルタイム相対ゲインを算出するリアルタイム相対ゲイン計算器（１３１）と、前記リアルタイム相対ゲイン計算器（１２６）に接続されていて、リアルタイム調整済みゲイン較正画像を算出する調整済みゲイン計算器（１３２）と、前記増幅器オフセット計算器（１２９）、前記リアルタイム相対ゲイン計算器（１３１）、及び前記調整済みゲイン計算器（１３２）に接続されていて、増幅器オフセット及びゲインを補償した補正済み撮像アレイ信号を算出する補正済みピクセル値計算器（１３４）と、を備えるシステム。
【請求項９】 前記リアルタイム相対ゲイン計算器（１３１）が、前記増幅器読み出し値信号の各々を増幅器読み出し値信号のすべての合計で割り算して、前記リアルタイム相対ゲインを生成する請求項８に記載の装置。
【請求項１０】 前記調整済みゲイン計算器（１３２）が、平均オフセット調整済みゲイン較正画像を前記リアルタイム相対ゲインで割り算して、前記リアルタイム調整済みゲイン較正画像を生成する請求項８又は９に記載の装置。